(57)【特許請求の範囲】
【請求項１】
２種類以上の外部記録媒体の装着及び取り外しが可能な記録媒体装着手段と、
前記記録媒体装着手段に装着された外部記録媒体への情報の記録を行う記録手段と、
前記記録媒体装着手段に装着された外部記録媒体からの情報の再生を行う再生手段と、
を有し、
前記記録手段による記録が可能な記録動作モード及び前記再生手段による再生が可能な再生動作モードの少なくとも２種類の排他的な動作モードで動作する記録再生装置であって、
前記記録媒体装着手段に所定の種類の外部記録媒体が装着されたか否かを判断する装着判断手段と、
前記記録媒体装着手段に装着された外部記録媒体に、前記再生手段による再生が可能な所定の種類の情報が記録されているか否かを判断する情報判断手段と、
前記記録手段による記録及び前記再生手段による再生の対象とする外部記録媒体の種類を選択する記録媒体選択手段と、
前記記録媒体装着手段に前記２種類以上の外部記録媒体のうちの予め定められた特定の種類の外部記録媒体が装着されたと前記装着判断手段が判断し、かつ、当該外部記録媒体に前記所定の種類の情報が記録されていないと前記情報判断手段が判断した場合に、前記動作モードを前記記録動作モードに設定する動作モード切り替え手段と、
を有することを特徴とする記録再生装置。
【請求項２】
２種類以上の外部記録媒体の装着及び取り外しが可能な記録媒体装着手段と、
前記記録媒体装着手段に装着された外部記録媒体への情報の記録を行う記録手段と、
前記記録媒体装着手段に装着された外部記録媒体からの情報の再生を行う再生手段と、
を有し、
前記記録手段による記録が可能な記録動作モード及び前記再生手段による再生が可能な再生動作モードの少なくとも２種類の排他的な動作モードで動作する記録再生装置であって、
前記記録媒体装着手段に所定の種類の外部記録媒体が装着されたか否かを判断する装着判断手段と、
前記記録媒体装着手段に装着された外部記録媒体に、前記再生手段による再生が可能な所定の種類の情報が記録されているか否かを判断する情報判断手段と、
前記記録手段による記録及び前記再生手段による再生の対象とする外部記録媒体の種類を選択する記録媒体選択手段と、
前記記録手段及び前記再生手段の動作状況を把握する動作状況把握手段と、
前記記録媒体装着手段に前記２種類以上の外部記録媒体のうちの予め定められた特定の種類の外部記録媒体が装着されたと前記装着判断手段が判断し、前記動作状況把握手段が、前記記録手段及び前記再生手段によって、当該外部記録媒体以外の外部記録媒体に対する記録及び再生が行われていないと判断し、かつ、当該外部記録媒体に前記所定の種類の情報が記録されていないと前記情報判断手段が判断した場合に、前記動作モードを前記記録動作モードに設定する動作モード切り替え手段と、
を有することを特徴とする記録再生装置。
【請求項３】
動作モード切り替え手段が前記動作モードを前記記録動作モードに設定する際に、前記動作モードの切り替えを外部に報知する報知手段を有することを特徴とする請求項１又は２に記載の記録再生装置。
【請求項４】
前記情報判断手段は、前記所定の種類の情報として、画像情報が記録されているか否かを判断することを特徴とする請求項１乃至３のいずれか１項に記載の記録再生装置。
【請求項５】
前記情報判断手段は、前記所定の種類の情報として、音声情報が記録されているか否かを判断することを特徴とする請求項１乃至４のいずれか１項に記載の記録再生装置。
【請求項６】
２種類以上の外部記録媒体の装着及び取り外しが可能な記録媒体装着手段と、前記記録媒体装着手段に装着された外部記録媒体への情報の記録を行う記録手段と、前記記録媒体装着手段に装着された外部記録媒体からの情報の再生を行う再生手段と、を備え、
前記記録手段による記録が可能な記録動作モード及び前記再生手段による再生が可能な再生動作モードの少なくとも２種類の排他的な動作モードで動作する記録再生装置の制御を行う方法であって、
前記記録媒体装着手段に所定の種類の外部記録媒体が装着されたか否かを判断する装着判断ステップと、
前記記録媒体装着手段に装着された外部記録媒体に、前記再生手段による再生が可能な所定の種類の情報が記録されているか否かを判断する情報判断ステップと、
前記記録手段による記録及び前記再生手段による再生の対象とする外部記録媒体の種類を選択する記録媒体選択ステップと、
前記装着判断ステップにおいて、前記記録媒体装着手段に前記２種類以上の外部記録媒体のうちの予め定められた特定の種類の外部記録媒体が装着されたと判断し、かつ、前記情報判断ステップにおいて、当該外部記録媒体に前記所定の種類の情報が記録されていないと判断した場合に、前記動作モードを前記記録動作モードに設定する動作モード切り替えステップと、
を有することを特徴とする記録再生装置の制御方法。
【請求項７】
２種類以上の外部記録媒体の装着及び取り外しが可能な記録媒体装着手段と、前記記録媒体装着手段に装着された外部記録媒体への情報の記録を行う記録手段と、前記記録媒体装着手段に装着された外部記録媒体からの情報の再生を行う再生手段と、を備え、
前記記録手段による記録が可能な記録動作モード及び前記再生手段による再生が可能な再生動作モードの少なくとも２種類の排他的な動作モードで動作する記録再生装置の制御を行う方法であって、
前記記録媒体装着手段に所定の種類の外部記録媒体が装着されたか否かを判断する装着判断ステップと、
前記記録媒体装着手段に装着された外部記録媒体に、前記再生手段による再生が可能な所定の種類の情報が記録されているか否かを判断する情報判断ステップと、
前記記録手段による記録及び前記再生手段による再生の対象とする外部記録媒体の種類を選択する記録媒体選択ステップと、
前記記録手段及び前記再生手段の動作状況を把握する動作状況把握ステップと、
前記装着判断ステップにおいて、前記記録媒体装着手段に前記２種類以上の外部記録媒体のうちの予め定められた特定の種類の外部記録媒体が装着されたと判断し、前記動作状況把握ステップにおいて、前記記録手段及び前記再生手段によって、当該外部記録媒体以外の外部記録媒体に対する記録及び再生が行われていないと判断し、かつ、前記情報判断ステップにおいて、当該外部記録媒体に前記所定の種類の情報が記録されていないと判断した場合に、前記動作モードを前記記録動作モードに設定する動作モード切り替えステップと、
を有することを特徴とする記録再生装置の制御方法。
【請求項８】
２種類以上の外部記録媒体の装着及び取り外しが可能な記録媒体装着手段と、前記記録媒体装着手段に装着された外部記録媒体への情報の記録を行う記録手段と、前記記録媒体装着手段に装着された外部記録媒体からの情報の再生を行う再生手段と、を備え、
前記記録手段による記録が可能な記録動作モード及び前記再生手段による再生が可能な再生動作モードの少なくとも２種類の排他的な動作モードで動作する記録再生装置の制御を行うプログラムであって、
コンピュータに、
前記記録媒体装着手段に所定の種類の外部記録媒体が装着されたか否かを判断する装着判断ステップと、
前記記録媒体装着手段に装着された外部記録媒体に、前記再生手段による再生が可能な所定の種類の情報が記録されているか否かを判断する情報判断ステップと、
前記記録手段による記録及び前記再生手段による再生の対象とする外部記録媒体の種類を選択する記録媒体選択ステップと、
前記装着判断ステップにおいて、前記記録媒体装着手段に前記２種類以上の外部記録媒体のうちの予め定められた特定の種類の外部記録媒体が装着されたと判断し、かつ、前記情報判断ステップにおいて、当該外部記録媒体に前記所定の種類の情報が記録されていないと判断した場合に、前記動作モードを前記記録動作モードに設定する動作モード切り替えステップと、
を実行させることを特徴とするプログラム。
【請求項９】
２種類以上の外部記録媒体の装着及び取り外しが可能な記録媒体装着手段と、前記記録媒体装着手段に装着された外部記録媒体への情報の記録を行う記録手段と、前記記録媒体装着手段に装着された外部記録媒体からの情報の再生を行う再生手段と、を備え、
前記記録手段による記録が可能な記録動作モード及び前記再生手段による再生が可能な再生動作モードの少なくとも２種類の排他的な動作モードで動作する記録再生装置の制御を行うプログラムであって、
コンピュータに、
前記記録媒体装着手段に所定の種類の外部記録媒体が装着されたか否かを判断する装着判断ステップと、
前記記録媒体装着手段に装着された外部記録媒体に、前記再生手段による再生が可能な所定の種類の情報が記録されているか否かを判断する情報判断ステップと、
前記記録手段による記録及び前記再生手段による再生の対象とする外部記録媒体の種類を選択する記録媒体選択ステップと、
前記記録手段及び前記再生手段の動作状況を把握する動作状況把握ステップと、
前記装着判断ステップにおいて、前記記録媒体装着手段に前記２種類以上の外部記録媒体のうちの予め定められた特定の種類の外部記録媒体が装着されたと判断し、前記動作状況把握ステップにおいて、前記記録手段及び前記再生手段によって、当該外部記録媒体以外の外部記録媒体に対する記録及び再生が行われていないと判断し、かつ、前記情報判断ステップにおいて、当該外部記録媒体に前記所定の種類の情報が記録されていないと判断した場合に、前記動作モードを前記記録動作モードに設定する動作モード切り替えステップと、
を実行させることを特徴とするプログラム。
【発明の詳細な説明】
【技術分野】
【０００１】
本発明は、ビデオカメラ及び電子カメラ等に好適な記録再生装置及びその制御方法等に関する。
【背景技術】
【０００２】
従来、外部記録媒体としてテープ媒体を用いたビデオカメラ等の記録再生装置では、テープ媒体への記録及び再生が可能となっている。このような記録再生装置には、記録動作モード及び再生動作モードが設定されており、どちらのモードで動作させるかをユーザに選択させる切り替えキー等が設けられている。記録動作モードは、外部記録媒体への記録動作を主な動作とするモードであり、再生動作モードは、外部記録媒体からの再生動作を主な動作とするモードである。
【０００３】
例えば、特許文献１には、撮影モード、再生モード、及びアルバム再生モードが設定された電子カメラにおいて、再生データがない場合は、モード切り替えボタンによる切り替えを不可とする制御方法が記載されている。
【０００４】
また、近年では、テープ媒体だけではなく、メモリカード又は磁気ディスク等を記録媒体として用いることができるビデオカメラも製品化され始めている。更に、テープ媒体と、メモリカード又は磁気ディスク等との双方への静止画及び動画の記録を可能とし、また、これらからの再生を可能とした記録再生装置もある。このような記録再生装置には、複数の外部記録媒体のうちのどれを記録、再生の対象とするかをユーザに選択させる切り替えキー等が設けられている。
【０００５】
【特許文献１】特開２００４−２７４５００号公報
【発明の開示】
【発明が解決しようとする課題】
【０００６】
しかしながら、上述の複数の記録媒体の使用が可能な記録再生装置では、外部記録媒体の装着及び取り外しの度に切り替えキーの状態を確認し、必要に応じた操作を行わなければ、その後の記録及び再生を行うことができない。つまり、少なくとも、動作モード切り替え用の切り替えキー及び外部記録媒体用の切り替えキーの両者の確認及び操作が必要となっており、操作が煩雑である。
【０００７】
本発明の目的は、記録及び再生のためにユーザに必要とされる操作を簡易なものとすることができる記録再生装置及びその制御方法等を提供することにある。
【課題を解決するための手段】
【０００８】
本発明に係る第１の記録再生装置は、２種類以上の外部記録媒体の装着及び取り外しが可能な記録媒体装着手段と、前記記録媒体装着手段に装着された外部記録媒体への情報の記録を行う記録手段と、前記記録媒体装着手段に装着された外部記録媒体からの情報の再生を行う再生手段と、を有し、前記記録手段による記録が可能な記録動作モード及び前記再生手段による再生が可能な再生動作モードの少なくとも２種類の排他的な動作モードで動作する記録再生装置であって、前記記録媒体装着手段に所定の種類の外部記録媒体が装着されたか否かを判断する装着判断手段と、前記記録媒体装着手段に装着された外部記録媒体に、前記再生手段による再生が可能な所定の種類の情報が記録されているか否かを判断する情報判断手段と、前記記録手段による記録及び前記再生手段による再生の対象とする外部記録媒体の種類を選択する記録媒体選択手段と、前記記録媒体装着手段に前記２種類以上の外部記録媒体のうちの予め定められた特定の種類の外部記録媒体が装着されたと前記装着判断手段が判断し、かつ、当該外部記録媒体に前記所定の種類の情報が記録されていないと前記情報判断手段が判断した場合に、前記動作モードを前記記録動作モードに設定する動作モード切り替え手段と、を有することを特徴とする。
本発明に係る第２の記録再生装置は、２種類以上の外部記録媒体の装着及び取り外しが可能な記録媒体装着手段と、前記記録媒体装着手段に装着された外部記録媒体への情報の記録を行う記録手段と、前記記録媒体装着手段に装着された外部記録媒体からの情報の再生を行う再生手段と、を有し、前記記録手段による記録が可能な記録動作モード及び前記再生手段による再生が可能な再生動作モードの少なくとも２種類の排他的な動作モードで動作する記録再生装置であって、前記記録媒体装着手段に所定の種類の外部記録媒体が装着されたか否かを判断する装着判断手段と、前記記録媒体装着手段に装着された外部記録媒体に、前記再生手段による再生が可能な所定の種類の情報が記録されているか否かを判断する情報判断手段と、前記記録手段による記録及び前記再生手段による再生の対象とする外部記録媒体の種類を選択する記録媒体選択手段と、前記記録手段及び前記再生手段の動作状況を把握する動作状況把握手段と、前記記録媒体装着手段に前記２種類以上の外部記録媒体のうちの予め定められた特定の種類の外部記録媒体が装着されたと前記装着判断手段が判断し、前記動作状況把握手段が、前記記録手段及び前記再生手段によって、当該外部記録媒体以外の外部記録媒体に対する記録及び再生が行われていないと判断し、かつ、当該外部記録媒体に前記所定の種類の情報が記録されていないと前記情報判断手段が判断した場合に、前記動作モードを前記記録動作モードに設定する動作モード切り替え手段と、を有することを特徴とする。
【０００９】
本発明に係る第１の記録再生装置の制御方法は、２種類以上の外部記録媒体の装着及び取り外しが可能な記録媒体装着手段と、前記記録媒体装着手段に装着された外部記録媒体への情報の記録を行う記録手段と、前記記録媒体装着手段に装着された外部記録媒体からの情報の再生を行う再生手段と、を備え、前記記録手段による記録が可能な記録動作モード及び前記再生手段による再生が可能な再生動作モードの少なくとも２種類の排他的な動作モードで動作する記録再生装置の制御を行う方法であって、前記記録媒体装着手段に所定の種類の外部記録媒体が装着されたか否かを判断する装着判断ステップと、前記記録媒体装着手段に装着された外部記録媒体に、前記再生手段による再生が可能な所定の種類の情報が記録されているか否かを判断する情報判断ステップと、前記記録手段による記録及び前記再生手段による再生の対象とする外部記録媒体の種類を選択する記録媒体選択ステップと、前記装着判断ステップにおいて、前記記録媒体装着手段に前記２種類以上の外部記録媒体のうちの予め定められた特定の種類の外部記録媒体が装着されたと判断し、かつ、前記情報判断ステップにおいて、当該外部記録媒体に前記所定の種類の情報が記録されていないと判断した場合に、前記動作モードを前記記録動作モードに設定する動作モード切り替えステップと、を有することを特徴とする。
本発明に係る第２の記録再生装置の制御方法は、２種類以上の外部記録媒体の装着及び取り外しが可能な記録媒体装着手段と、前記記録媒体装着手段に装着された外部記録媒体への情報の記録を行う記録手段と、前記記録媒体装着手段に装着された外部記録媒体からの情報の再生を行う再生手段と、を備え、前記記録手段による記録が可能な記録動作モード及び前記再生手段による再生が可能な再生動作モードの少なくとも２種類の排他的な動作モードで動作する記録再生装置の制御を行う方法であって、前記記録媒体装着手段に所定の種類の外部記録媒体が装着されたか否かを判断する装着判断ステップと、前記記録媒体装着手段に装着された外部記録媒体に、前記再生手段による再生が可能な所定の種類の情報が記録されているか否かを判断する情報判断ステップと、前記記録手段による記録及び前記再生手段による再生の対象とする外部記録媒体の種類を選択する記録媒体選択ステップと、前記記録手段及び前記再生手段の動作状況を把握する動作状況把握ステップと、前記装着判断ステップにおいて、前記記録媒体装着手段に前記２種類以上の外部記録媒体のうちの予め定められた特定の種類の外部記録媒体が装着されたと判断し、前記動作状況把握ステップにおいて、前記記録手段及び前記再生手段によって、当該外部記録媒体以外の外部記録媒体に対する記録及び再生が行われていないと判断し、かつ、前記情報判断ステップにおいて、当該外部記録媒体に前記所定の種類の情報が記録されていないと判断した場合に、前記動作モードを前記記録動作モードに設定する動作モード切り替えステップと、を有することを特徴とする。
【発明の効果】
【００１０】
本発明によれば、所定の条件が満たされていれば、動作モードが記録動作モードに設定されるため、ユーザは、所定の情報が記録されていない外部記録媒体を装着するだけで、動作モードを記録動作モードとすることができる。従って、従来の装置で必要とされていた煩雑な操作を省略することができ、操作を簡易なものとすることができる。
【発明を実施するための最良の形態】
【００１１】
以下、本発明の実施形態について添付の図面を参照して具体的に説明する。
【００１２】
（第１の実施形態）
先ず、本発明の第１の実施形態について説明する。図１は、本発明の第１の実施形態に係るビデオカメラの構成を示すブロック図である。
【００１３】
このビデオカメラには、被写体の画像を取り込むレンズ１、このレンズ１で取り込んだ画像を電気信号に変換するＣＣＤ２、及びこのＣＣＤ２からの信号を処理するカメラ信号処理部３が設けられている。また、カメラ信号処理部３からの信号を処理するＣＰＵ５が設けられている。ＣＰＵ５には、ユーザインタフェースとして機能する操作部６が接続されている。操作部６には、例えば、撮影開始スイッチ、撮影終了スイッチ、動作モードの切り替え用のモード切り替えキー、及び記録又は再生の対象とする記録媒体の切り替え用のメディア切り替えキー等が設けられている。また、操作部６には、図２Ａに示す切り替えスイッチ５０１、ＬＥＤ５０３及びＬＥＤ５０４、並びに図３Ａに示す切り替えスイッチ５０２、ＬＥＤ５０５及びＬＥＤ５０６も設けられている。また、このビデオカメラには、ＣＶＦ８（Color View Finder）及びＬＣＤ（Liquid Crystal Display）９が設けられており、ＣＰＵ５には、ＣＶＦ８及びＬＣＤ９を制御するＬＣＤ／ＣＶＦ制御部７も接続されている。更に、外部記録媒体であるカード１３へのデータの記録及びカード１３からのデータの再生を行う記録・再生制御部１２がＣＰＵ５に接続されている。また、外部記録媒体であるテープ１５へのデータの記録及びテープ１５からのデータの再生を行う記録・再生制御部１４もＣＰＵ５に接続されている。記録・再生制御部１２及び１４は、記録手段及び再生手段として機能すると共に、外部記録媒体の装着及び取り外しが可能なインタフェース（記録媒体装着手段）としても機能する。更に、外部機器への信号を出力する信号出力部１１が設けられており、この信号出力部１１とＣＰＵ５との間に、信号処理部１０が接続されている。ＣＰＵ５は、所定のプログラムに基づいて、カメラ信号処理部３、ＬＣＤ／ＣＶＦ制御部７、信号処理部１０、記録・再生制御部１２、及び記録・再生制御部１４等の制御を行う。この際に、メモリ４が用いられる。メモリ４は、例えばＲＯＭ及びＲＡＭが含まれており、ＲＯＭには、ＣＰＵ５が実行するプログラムが格納されており、ＲＡＭは、ＣＰＵ５によるデータの書き込み／読み出しに用いられる。
【００１４】
本実施形態では、ＣＰＵ５が実行するプログラムとして、少なくとも２種類のプログラムが設けられている。そのうちの一つは、テープ１５又はカード１３へのデータの記録を主な動作とする撮影動作モード（記録動作モード）用のプログラムである。また、他の一つは、テープ１５又はカード１３に記録されているデータの再生を主な動作とする再生動作モード用のプログラムである。そして、これらの動作モードは排他的に設定される。
【００１５】
そして、撮影動作モード及び再生動作モードは、切り替えスイッチ５０１の操作等に応じて切り替えられる。切り替えスイッチ５０１はトグルスイッチであり、撮影動作モードに設定されている状態で、切り替えスイッチ５０１が押されると、ＣＰＵ５は、動作モード切り替え手段として、動作モードを撮影動作モードから再生動作モードに切り替える。逆に、再生動作モードに設定されている状態で、切り替えスイッチ５０１が押されると、ＣＰＵ５は、同じく動作モード切り替え手段として、動作モードを再生動作モードから撮影動作モードに切り替える。また、ＬＥＤ５０３は、図２Ｂに示すように、動作モードが撮影動作モードに設定されている時に限り点灯し、図２Ｃに示すように、撮影動作モード以外に設定されている時には消灯している。また、ＬＥＤ５０４は、図２Ｃに示すように、動作モードが再生動作モードに設定されている時に限り点灯し、図２Ｂに示すように、再生動作モード以外に設定されている時には消灯している。ＬＥＤ５０３及び５０４の点灯／消灯の制御はＣＰＵ５により行われる。
【００１６】
また、切り替えスイッチ５０２もトグルスイッチであり、この操作等に応じて記録及び再生の対象とする記録媒体（以下、対象記録媒体ともいう）が切り替えられる。例えば、対象記録媒体としてテープ１５が選択されている状態で、切り替えスイッチ５０２が押されると、ＣＰＵ５は、記録媒体選択手段として、対象記録媒体をカード１３に切り替える。逆に、対象記録媒体としてカード１３が選択されている状態で、切り替えスイッチ５０２が押されると、ＣＰＵ５は、同じく記録媒体選択手段として、対象記録媒体をテープ１５に切り替える。また、対象記録媒体としてテープ１５が選択されている時には、図３Ｂに示すように、ＬＥＤ５０５が点灯し、ＬＥＤ５０６が消灯している。また、対象記録媒体としてカード１３が選択されている時には、図３Ｃに示すように、ＬＥＤ５０５が消灯し、ＬＥＤ５０６が点灯している。ＬＥＤ５０５及び５０６の点灯／消灯の制御はＣＰＵ５により行われる。
【００１７】
上述のように、動作モードは、例えば切り替えスイッチ５０１の操作に応じて切り替え可能であるが、本実施形態では、切り替えスイッチ５０１の操作がなくとも、カード１３及びテープ１５の装着状態等に応じた切り替えも可能となっている。次に、この切り替え処理の詳細について説明する。この切り替え処理は、所定のプログラムに基づいてＣＰＵ５により行われる。図４は、動作モードの切り替え処理の内容を示すフローチャートである。
【００１８】
先ず、ＣＰＵ５が、記録・再生制御部１２を介してカード１３がビデオカメラ本体に装着されているか否かの判断を行う（ステップＳ１００１）。
【００１９】
カード１３がビデオカメラ本体に装着されていない場合は、ＦＬＡＧの値を１として、終了する（ステップＳ１００２）。
【００２０】
カード１３がビデオカメラ本体に装着されている場合は、ＦＬＡＧの値が１となっているか否かの判断を行い、ＦＬＡＧの値が１となっていない場合、即ちＦＬＡＧの値が０の場合は、そのまま終了する（ステップＳ１００３）。
【００２１】
ＦＬＡＧの値が１となっている場合は、ＦＬＡＧの値を０とする（ステップＳ１００４）。
【００２２】
ビデオカメラ本体にカード１３が装着されていない状態から、カード１３が装着された状態に移行すると、これらのステップＳ１００２〜１００４の処理に伴い、ＦＬＡＧが１から０に変化することとなる。従って、ＣＰＵ５は、装着判断手段として、このＦＬＡＧの変化によりカード１３が装着されたことを認識することができる。
【００２３】
ステップＳ１００４の後、ＣＰＵ５は、選択されている対象記録媒体が、テープ１５となっているか否かの判断を行う。そして、対象記録媒体がテープ１５ではない場合、即ちカード１３となっている場合には、ステップＳ１００７へ移行する（ステップＳ１００５）。
【００２４】
一方、対象記録媒体がテープ１５となっている場合、ＣＰＵ５は、テープ１５が停止している状態、又はテープ１５がビデオカメラ本体に装着されていない状態のいずれかになっているか否かの判断を行う（ステップＳ１００６）。つまり、ＣＰＵ５は、動作状況把握手段として、テープ１５が再生又は記録等の駆動状態になっていないか判断する。そして、テープ１５が停止している状態、又はテープ１５がビデオカメラ本体に装着されていない状態のいずれでもない場合、即ちテープ１５に対する再生又は記録が行われ、テープ１５が駆動状態になっている場合には、そのまま終了する。これに対し、テープ１５が停止している状態、又はテープ１５がビデオカメラ本体に装着されていない状態のいずれかになっている場合、即ちテープ１５に対する再生及び記録が行われていない場合には、ステップＳ１００７へ移行する。
【００２５】
従って、ＣＰＵ５がステップＳ１００７に移行するのは、対象記録媒体がカード１３となっている場合か、又は対象記録媒体がテープ１５となっているものの、テープ１５が駆動状態となっていない場合のいずれかである。
【００２６】
ステップＳ１００７において、ＣＰＵ５は、情報判断手段として、記録・再生制御部１２を介してカード１３内に画像データがあるか否かの判断を行い、画像データがある場合は、そのまま終了する。
【００２７】
一方、カード１３内に画像データがない場合、ＣＰＵ５は、動作モードが撮影動作モードに設定されているか否かの判断を行う（ステップＳ１００８）。そして、撮影動作モードに設定されている場合には、ステップＳ１０１０へ移行する。
【００２８】
これに対し、撮影動作モードに設定されていない場合、例えば再生動作モードに設定されている場合、ＣＰＵ５は、切り替えスイッチ５０１の操作の有無に拘わらず、強制的に動作モードを撮影動作モードへ切り替える（ステップＳ１００９）。つまり、ＣＰＵ５が、動作モード切り替え手段として動作モードの切り替えを行う。また、ＣＰＵ５は、図２Ｂに示すように、操作部６において、ＬＥＤ５０３を点灯し、ＬＥＤ５０４を消灯することにより、動作モードが撮影動作モードに設定されたことを示す。そして、ＣＰＵ５はステップＳ１０１０へ移行する。
【００２９】
ステップＳ１０１０において、ＣＰＵ５は、対象記録媒体がテープ１５となっているか否かの判断を行う。そして、対象記録媒体がテープ１５ではない場合、即ちカード１３となっている場合には、そのまま終了する。
【００３０】
一方、対象記録媒体がテープ１５となっている場合、ＣＰＵ５は、切り替えスイッチ５０２の操作の有無に拘わらず、記録媒体選択手段として、対象記録媒体をカード１３に切り替える（ステップＳ１０１１）。また、ＣＰＵ５は、図３Ｃに示すように、操作部６において、ＬＥＤ５０６を点灯し、ＬＥＤ５０５を消灯することにより、対象記録媒体がカード１３に切り替えられたことを示す。
【００３１】
このようにして、本実施形態では、切り替えスイッチ５０１の操作を待たずに動作モードが切り替えられることがある。
【００３２】
次に、各動作モードでのビデオカメラの動作について説明する。
【００３３】
動作モードが撮影動作モードに設定され、かつ、対象記録媒体としてテープ１５が選択されている場合の動作について説明する。この場合、先ず、ビデオカメラのレンズ１を通って入射した被写体からの光を、ＣＣＤ２が電気信号に変換する。次いで、カメラ信号処理部３が、ＣＣＤ２から出力された電気信号をサンプリングし、デジタルデータに変換する。その後、ＣＰＵ５が、このデジタルデータをデジタル映像信号として取得し、このデジタル映像信号に対して、色分離、白バランス、ガンマ補正及びアパーチャ補正等の基本的な処理を行う。そして、ＣＰＵ５による処理後のデジタル映像信号を、記録・再生制御部１４がテープ１５に記録する。
【００３４】
次に、動作モードが撮影動作モードに設定され、かつ、対象記録媒体としてカード１３が選択されている場合の動作について説明する。この場合にも、対象記録媒体としてテープ１５が選択されている場合と同様に、ＣＰＵ５による基本的な処理までが行われる。次いで、ＣＰＵ５が、操作部６を介して設定された画像サイズ、画質調整及び位置調整等の付加処理を行う。更に、ＣＰＵ５は、デジタル映像信号に対して、操作部６等を介して設定された圧縮方式及び圧縮パラメータに応じて、画像圧縮処理を行うことにより、画像圧縮データを作成する。画像圧縮処理の方式としては、例えば、動画であれば、ＭＰＥＧ（Moving Picture Experts Group）及びＭＪＰＥＧ（Motion Joint Photographic Experts Group）が挙げられ、静止画であれば、ＪＰＥＧ（Joint Photographic Experts Group）及びＪＰＥＧ２０００が挙げられる。その後、ＣＰＵ５は、画像圧縮データを記録データとして記録・再生制御部１２へ受け渡す。そして、ＣＰＵ５から受け渡された記録データを、記録・再生制御部１２が、例えば、電子カメラ等で採用されているＤＣＦ（Design rule for Camera File System）規格に基づいてカード１３に記録する。また、記録データは、撮影した画像をユーザが確認できるように、ＬＣＤ／ＣＶＦ制御部７を介してＣＶＦ８及び／又はＬＣＤ９に表示される。なお、記録データの作成に当たり、記録・再生制御部１２は、ＤＣＦ規定に従ったディレクトリ及びファイルの作成を行う。図５に、ＤＣＦ規格に従ったデータファイリングシステムにおけるディレクトリ及びデータファイルの例を示す。このように、記録・再生制御部１２は、ＵＤＦ（Universal Disc Format）又はＦＡＴ（File Allocation Table）等のファイルシステムの管理に基づいて、記録データをファイルとしてカード１３に記録する。ここで、ファイルシステムとは、ファイルの管理を行うための管理情報及びファイルデータからなる構造体系を意味する。ファイルシステムを共通化することによって、互いに異なる記録媒体に対してもデータの記録再生が可能となり、また、互いに異なる記録再生装置においても、データの記録再生が可能となる。記録データは、必要に応じて信号処理部１０を介して信号出力部１１に送られる。
【００３５】
次に、動作モードが再生動作モードに設定され、かつ、対象記録媒体としてテープ１５が選択されている場合の動作について説明する。この場合、先ず、記録・再生制御部１４が、テープ１５を走行させて画像データを読み込み、読み込んだ画像データをＣＰＵ５に受け渡す。次いで、ＣＰＵ５が、受け渡された画像データの解析及び分離を行う。この結果、受け渡された画像データから、画像データ部、及び制御信号データ部等が得られる。そして、ＣＰＵ５は、画像データ部を、信号処理部１０を介して画像信号として信号出力部１１に受け渡すと共に、ＬＣＤ／ＣＶＦ制御部７を介してＣＶＦ８及び／又はＬＣＤ９にも受け渡す。
【００３６】
次に、動作モードが再生影動作モードに設定され、かつ、対象記録媒体としてカード１３が選択されている場合の動作について説明する。この場合、先ず、記録・再生制御部１２がカード１３から画像データを読み込み、読み込んだデータをＣＰＵ５に受け渡す。次いで、ＣＰＵ５が、受け渡された画像データの解析及び分離を行う。この結果、受け渡された画像データから、画像データ部、及び制御信号データ部等が得られる。その後、ＣＰＵ５は、画像データ部が圧縮されたデータである場合には、伸張処理を行う。そして、ＣＰＵ５は、画像データ部を、信号処理部１０を介して画像信号として信号出力部１１に受け渡すと共に、ＬＣＤ／ＣＶＦ制御部７を介してＣＶＦ８及び／又はＬＣＤ９にも受け渡す。
【００３７】
このように、本実施形態では、ビデオカメラ本体にカード１３が装着された時に、テープ１５が駆動状態ではなく、かつ、カード１３内に画像データがなければ、ユーザ等による切り替えスイッチ５０１及び５０２の操作を待たずに、動作モードが撮影動作モードに設定されると共に、対象記録媒体としてカード１３が選択される。従って、動作モードが再生動作モードに設定され、かつ対象記録媒体としてテープ１５が選択されている場合であっても、所定の条件が満たされていれば、カード１３をビデオカメラ本体に装着するだけで、速やかに記録を行うことが可能である。
【００３８】
なお、ステップＳ１００５及びＳ１００６の判断を省略してもよい。この場合、テープ１５を用いた記録又は再生が行われていれば、例えば強制的に終了させてもよい。
【００３９】
また、外部記録媒体として３種類以上のものを使用してもよい。この場合、特定の種類の外部記録媒体が装着された場合に、当該特定の種類の外部記録媒体以外のものに対して、ステップＳ１００５、Ｓ１００６及びＳ１０１０の処理を行えばよい。即ち、第壱の実施形態は、２種類以上の外部記録媒体を使用することが可能な記録再生装置に応用することができる。
【００４０】
（第２の実施形態）
次に、本発明の第２の実施形態について説明する。図６は、本発明の第２の実施形態に係るビデオカメラの構成を示すブロック図である。
【００４１】
第２の実施形態では、図６に示すように、第１の実施形態における記録・再生制御部１４が設けられておらず、これに代わって文字信号制御部２１がＣＰＵ５に接続されている。文字信号制御部２１は、ＣＰＵによる制御に基づいて、ＣＰＵ５が、切り替えスイッチ５０１が操作されていないにも拘らず動作モードを切り替える場合に、所定の文字列を作成する。また、記録・再生制御部１４が設けられていないため、テープ１５を用いた記録及び再生を行うことはできず、対象記録媒体を切り替えるための切り替えスイッチ５０２、並びに対象記録媒体の種類を示すＬＥＤ５０５及び５０６も設けられていない。
【００４２】
他の構成は、第１の実施形態と同様である。
【００４３】
従って、本実施形態でも、ＣＰＵ５が実行するプログラムとして、少なくとも２種類のプログラムが設けられている。そのうちの一つは、カード１３へのデータの記録を主な動作とする撮影動作モード用のプログラムである。また、他の一つは、カード１３に記録されているデータの再生を主な動作とする再生動作モード用のプログラムである。
【００４４】
そして、撮影動作モード及び再生動作モードは、切り替えスイッチ５０１の操作等に応じて切り替えられる。撮影動作モードに設定されている状態で、切り替えスイッチ５０１が押されると、ＣＰＵ５は、動作モードを撮影動作モードから再生動作モードに切り替える。逆に、再生動作モードに設定されている状態で、切り替えスイッチ５０１が押されると、ＣＰＵ５は、動作モードを再生動作モードから撮影動作モードに切り替える。また、ＬＥＤ５０３は、図２Ｂに示すように、動作モードが撮影動作モードに設定されている時に限り点灯し、図２Ｃに示すように、撮影動作モード以外に設定されている時には消灯している。また、ＬＥＤ５０４は、図２Ｃに示すように、動作モードが再生動作モードに設定されている時に限り点灯し、図２Ｂに示すように、再生動作モード以外に設定されている時には消灯している。ＬＥＤ５０３及び５０４の点灯／消灯の制御はＣＰＵ５により行われる。
【００４５】
このように、動作モードは、例えば切り替えスイッチ５０１の操作に応じて切り替え可能であるが、本実施形態でも、切り替えスイッチ５０１の操作がなくとも、カード１３の装着状態等に応じた切り替えも可能となっている。次に、この切り替え処理の詳細について説明する。この切り替え処理は、所定のプログラムに基づいてＣＰＵ５により行われる。図７は、動作モードの切り替え処理の内容を示すフローチャートである。
【００４６】
本実施形態におけるステップＳ１００１〜Ｓ１００４の処理は、第１の実施形態のものと同様である。但し、ステップＳ１００４の後には、ステップＳ１００５及びＳ１００６の処理を行うことなく、ステップＳ１００７の処理を行う。つまり、ＣＰＵ５は、テープ１５に関する処理を行わない。
【００４７】
ステップＳ１００７において、ＣＰＵ５は、記録・再生制御部１２を介してカード１３内に画像データがあるか否かの判断を行い、画像データがある場合は、そのまま終了する。
【００４８】
一方、ステップＳ１００７において、カード１３内に画像データがない場合、ＣＰＵ５は、動作モードが撮影動作モードに設定されているか否かの判断を行う（ステップＳ１００８）。そして、撮影動作モードに設定されている場合には、そのまま終了する。
【００４９】
これに対し、撮影動作モードに設定されていない場合、例えば再生動作モードに設定されている場合、ＣＰＵ５は、文字信号制御部２１を制御して、所定の文字列を作成させる。そして、ＣＰＵ５は、この文字列をＬＣＤ／ＣＶＦ制御部７を介してＣＶＦ８及び／又はＬＣＤ９に表示させる（ステップＳ１２０１）。このとき、ＣＰＵ５、ＬＣＤ／ＣＶＦ制御部７、ＣＶＦ８、ＬＣＤ９及び文字信号制御部２１が報知手段として機能する。ここで、所定の文字列には、これから、切り替えスイッチ５０１の操作の有無に拘わらず、強制的に動作モードを撮影動作モードへ切り替えること及びその理由を報知する内容が含まれる。図８に、表示される文字列の例を示す。
【００５０】
ステップＳ１２０１の後、ＣＰＵ５は、切り替えスイッチ５０１の操作の有無に拘わらず、強制的に動作モードを撮影動作モードへ切り替える（ステップＳ１００９）。また、ＣＰＵ５は、図２Ｂに示すように、操作部６において、ＬＥＤ５０３を点灯し、ＬＥＤ５０４を消灯することにより、動作モードが撮影動作モードに設定されたことを示し、処理を終了する。
【００５１】
このようにして、本実施形態でも、切り替えスイッチ５０１の操作を待たずに動作モードが切り替えられることがある。
【００５２】
他の動作は、テープ１５に関する処理が行われないことを除き、第１の実施形態と同様である。
【００５３】
このように、本実施形態では、ビデオカメラ本体にカード１３が装着された時に、カード１３内に画像データがなければ、ユーザ等による切り替えスイッチ５０１の操作を待たずに、動作モードが撮影動作モードに設定される。従って、動作モードが再生動作モードに設定されている場合であっても、所定の条件が満たされていれば、カード１３をビデオカメラ本体に装着するだけで、速やかに記録を行うことが可能である。
【００５４】
また、動作モードの切り替え及びその理由が表示されるため、意思に基づかない動作モードの切り替えに伴うユーザの困惑を抑制することもできる。なお、このような表示を第１の実施形態において行ってもよい。また、表示による報知に限定されず、音による報知を行ってもよい。
【００５５】
なお、第１及び第２の実施形態では、記録及び再生の対象を画像情報としているが、記録及び再生の対象を音声情報としてもよい。
【００５６】
また、カード１３としては、ＭＭＣ（Multi Media Card）、コンパクトフラッシュ（登録商標）、ＣＦカード、ＰＣカード等を用いることができる。また、カード１３の代わりに、ＣＤ−ＲＷ、フレキシブルディスク、ＭＤ、ＤＶＤ−ＲＡＭ等の着脱可能な磁気記録媒体、光磁気記録媒体等を用いてもよい。
【００５７】
また、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００５８】
【図１】本発明の第１の実施形態に係るビデオカメラの構成を示すブロック図である。
【図２Ａ】操作部６の一部を示す図である。
【図２Ｂ】動作モードが撮影動作モードに設定されている時の操作部６の状態を示す図である。
【図２Ｃ】動作モードが再生動作モードに設定されている時の操作部６の状態を示す図である。
【図３Ａ】操作部６の他の一部を示す図である。
【図３Ｂ】対象記録媒体としてテープ１５が選択されている時の操作部６の状態を示す図である。
【図３Ｃ】対象記録媒体としてカード１３が選択されている時の操作部６の状態を示す図である。
【図４】本発明の第１の実施形態における動作モードの切り替え処理の内容を示すフローチャートである。
【図５】ＤＣＦ規格に従ったデータファイリングシステムにおけるディレクトリ及びデータファイルの例を示す図である。
【図６】本発明の第２の実施形態に係るビデオカメラの構成を示すブロック図である。
【図７】本発明の第２の実施形態における動作モードの切り替え処理の内容を示すフローチャートである。
【図８】表示される文字列の例を示す図である。
【符号の説明】
【００５９】
１：レンズ
２：ＣＣＤ
３：カメラ信号制御部
４：メモリ
５：ＣＰＵ
６：操作部
７：ＬＣＤ／ＣＶＦ制御部
８：ＣＶＦ
９：ＬＣＤ
１０：信号処理部
１１：信号出力部
１２：記録・再生制御部
１３：カード
１４：記録・再生制御部
１５：テープ
２１：文字信号制御部
５０１、５０２：切り替えスイッチ
５０３〜５０６：ＬＥＤ
【図１】
0005004704.tif 000002
【図２Ａ】
0005004704.tif 000003
【図２Ｂ】
0005004704.tif 000004
【図２Ｃ】
0005004704.tif 000005
【図３Ａ】
0005004704.tif 000006
【図３Ｂ】
0005004704.tif 000007
【図３Ｃ】
0005004704.tif 000008
【図４】
0005004704.tif 000009
【図５】
0005004704.tif 000010
【図６】
0005004704.tif 000011
【図７】
0005004704.tif 000012
【図８】
0005004704.tif 000013